(57)【特許請求の範囲】
【請求項１】
導電性を有する一方及び他方のヒューズ端子と、これらの間に介在する可溶体とを含むヒュージブルリンクを備えるとともに、
絶縁性を有し且つ略筐体形状又は略枠体形状に形成されるブロック部と、該ブロック部の所定位置に配設されるボルトとを含むボルトブロックを備え、
さらに、該ボルトブロックにおける前記ボルトの配設位置に前記一方のヒューズ端子を配置して前記ヒュージブルリンクを前記ボルトブロックに一体化させてなる
ことを特徴とするヒュージブルリンク一体型ボルトブロック。
【請求項２】
請求項１に記載のヒュージブルリンク一体型ボルトブロックにおいて、
前記他方のヒューズ端子に外部接続用の部分を一体又は別体で設けるとともに、前記ブロック部に前記外部接続用の部分を囲うハウジングを設けてなる
ことを特徴とするヒュージブルリンク一体型ボルトブロック。
【請求項３】
請求項１又は請求項２に記載のヒュージブルリンク一体型ボルトブロックを、電気接続箱本体の側部に対し、又は前記電気接続箱本体を構成するカセットブロックの側部に対し、該側部の略直交方向に着脱自在に装着してなる
ことを特徴とする電気接続箱。
【請求項４】
請求項３に記載の電気接続箱において、
前記ヒュージブルリンク一体型ボルトブロックを構成するヒュージブルリンクの可溶体を外部から視認可能な状態に前記側部に装着してなる
ことを特徴とする電気接続箱。
【発明の詳細な説明】
【技術分野】
【０００１】
本発明は、ヒュージブルリンクの機能を有するボルトブロックと、このボルトブロックを含んでなる電気接続箱とに関する。
【背景技術】
【０００２】
自動車等の車両に搭載される電気機器としては、例えば電気接続箱が挙げられる。電気接続箱は、リレーボックスやヒューズボックス、或いはジャンクションブロックや電子制御ユニットボックス等を総称するものとして知られている。下記特許文献１には、電気接続箱に関する技術が開示されている。以下、図２４を参照しながら下記特許文献１に開示された電気接続箱について説明をする。
【０００３】
図２４において、電気接続箱は、電気接続箱本体５０１と、電気接続箱本体５０１のハウジング５０２（メインカバー）に嵌合する図示しないアッパーカバー及びロアカバーとを備えて構成されている。図示しないアッパーカバーは、ハウジング５０２の上端に嵌合するカバーとして備えられている。また、図示しないロアカバーは、ハウジング５０２の下端に嵌合するカバーとして備えられている。
【０００４】
電気接続箱本体５０１は、上記ハウジング５０２の他に、バスバー組立体５０３と、コネクタブロック５０４と、リレーブロック５０５とを有している。
【０００５】
ハウジング５０２は、樹脂製であって、上側開口から臨む位置に複数種のキャビティ５０６、５０７を有している。この複数種のキャビティ５０６、５０７には、複数のヒュージブルリンク５０８やヒューズ５０９が装着されるようになっている。
【０００６】
リレーブロック５０５は、上記の上側開口から臨む位置に嵌合するようになっている。リレーブロック５０５には、リレー５１０が装着されるようになっている。
【０００７】
引用符号５１１はコネクタハウジングを示している。このコネクタハウジング５１１は、上記の上側開口から臨む位置に配設されている。
【０００８】
ハウジング５０２の一側部５１２には、開口部５１３が開口形成されている。この開口部５１３の奥側には、一対のナット５１４が固定されている。
【０００９】
ハウジング５０２は、この下側開口からバスバー組立体５０３を装着することができるように形成されている。また、下側開口にコネクタブロック５０４を嵌合させることができるようにも形成されている。コネクタブロック５０４は、図示しないワイヤハーネスをバスバー組立体５０３に接続させることができるように形成されている。
【００１０】
バスバー組立体５０３は、この上側に複数種のタブ５１５、５１６や複数の音叉端子５１７を有している。また、下側にも複数種のタブ５１８、５１９を有している。バスバー組立体５０３は、ハウジング５０２の下側開口から所定位置に装着されると、タブ５１５、５１６や複数の音叉端子５１７が対応するキャビティ５０６、５０７やリレーブロック５０５、コネクタハウジング５１１に差し込まれるようになっている。
【００１１】
バスバー組立体５０３は、タブ５１８、５１９がコネクタブロック５０４の対応するコネクタハウジング５２０、５２１に差し込まれるようになっている。
【００１２】
バスバー組立体５０３は、過電流により溶断する可溶部５２２（可溶体）を有している。また、バスバー組立体５０３は、可溶部５２２の近傍に一対のボルト挿通孔５２３を有している。一対のボルト挿通孔５２３は、可溶部５２２が溶断した後に、可溶部５２２の代替品となるヒュージブルリンク５２４をボルト５２５により締め付け固定するために形成されている。バスバー組立体５０３は、可溶部５２２が溶断した後に、バスバー組立体５０３全体を交換しなくて済む構造になっている。
【００１３】
ヒュージブルリンク５２４は、後付となるヒューズであって、最初から備え付けられているものではないものとする。尚、ボルト５２５の締め付け先は、一対のボルト挿通孔５２３の裏にそれぞれ溶接により固定された一対のナット５１４となっている。
【００１４】
ハウジング５０２の上側開口において、タブ５１６とコネクタハウジング５１１とからなるコネクタは、図示しないバッテリーからの電線をコネクタ接続することができるように形成されている。また、ハウジング５０２の下側開口において、タブ５１９とコネクタハウジング５２１とからなるコネクタは、図示しないオルタネータからの電線をコネクタ接続することができるように形成されている。上記二つのコネクタは、図から分かるように離れた位置に配置されている。
【先行技術文献】
【特許文献】
【００１５】
【特許文献１】特開２００５−１８５０３３号公報
【発明の概要】
【発明が解決しようとする課題】
【００１６】
ところで、上記従来技術にあっては、バスバー組立体５０３の可溶部５２２が溶断した場合に、ヒュージブルリンク５２４を後付すれば対処することができるようになるが、ヒュージブルリンク５２４用の大きな後付スペースをバスバー組立体５０３に予め確保しなければならず、また、ハウジング５０２の一側部５１２の開口部５１３も大きく開口形成しなければならないことから、電気接続箱が大型化してしまうという問題点を有している。
【００１７】
尚、可溶部５２２が溶断せずヒュージブルリンク５２４の後付も行う必要がない場合に、ナット５１４は一対のボルト挿通孔５２３の裏に単に固定された部品になってしまうことになる。
【００１８】
この他、上記従来技術にあっては、例えば図示しないバッテリーやオルタネータからの電線を接続する二つのコネクタが離れて配置されていることから、スペース利用の面から考えると効率が悪く、上記同様に電気接続箱が大型化してしまうという問題点を有している。また、上記従来技術にあっては、二つのコネクタが離れて配置されていることから、作業面でも効率が悪いという問題点を有している。
【００１９】
本発明は、上記した事情に鑑みてなされたもので、小型化を図ることや作業効率の向上を図ることが可能なヒュージブルリンク一体型ボルトブロックと、これを備える電気接続箱とを提供することを課題とする。
【課題を解決するための手段】
【００２０】
上記課題を解決するためになされた請求項１に記載の本発明のヒュージブルリンク一体型ボルトブロックは、導電性を有する一方及び他方のヒューズ端子と、これらの間に介在する可溶体とを含むヒュージブルリンクを備えるとともに、絶縁性を有し且つ略筐体形状又は略枠体形状に形成されるブロック部と、該ブロック部の所定位置に配設されるボルトとを含むボルトブロックを備え、さらに、該ボルトブロックにおける前記ボルトの配設位置に前記一方のヒューズ端子を配置して前記ヒュージブルリンクを前記ボルトブロックに一体化させてなることを特徴とする。
【００２１】
このような特徴を有する本発明によれば、上記構成及び構造であることから、ボルトブロックのボルトを外部との接続部分として用いるだけでなく、電気的な接続等の集約部分としても用いることができる。すなわち、ボルトに対しヒュージブルリンクの一方のヒューズ端子を配置すれば、電気的な接続を集約することができる。また、電気的な接続に係る部品の集約もすることができる。
【００２２】
請求項２に記載の本発明のヒュージブルリンク一体型ボルトブロックは、請求項１に記載のヒュージブルリンク一体型ボルトブロックに係り、前記他方のヒューズ端子に外部接続用の部分を一体又は別体で設けるとともに、前記ブロック部に前記外部接続用の部分を囲うハウジングを設けてなることを特徴とする。
【００２３】
このような特徴を有する本発明によれば、外部接続用の部分とハウジングとで例えばコネクタを構成し、このコネクタも一体化させることができる。コネクタは、外部との接続部分として用いることができ、ボルトやコネクタに例えばバッテリーやオルタネータからの電線を接続することができる。本発明によれば、電気的な接続やこれに係る部品を更に多く集約することができる。尚、外部接続用の部分としては、例えばタブなどの雄端子が挙げられるものとする。また、雌端子や接続用のボルトなども挙げられるものとする。
【００２４】
また、上記課題を解決するためになされた請求項３に記載の本発明の電気接続箱は、請求項１又は請求項２に記載のヒュージブルリンク一体型ボルトブロックを、電気接続箱本体の側部に対し、又は前記電気接続箱本体を構成するカセットブロックの側部に対し、該側部の略直交方向に着脱自在に装着してなることを特徴とする。
【００２５】
このような特徴を有する本発明によれば、ヒュージブルリンク一体型ボルトブロックを電気接続箱本体の側部又はカセットブロックの側部に着脱自在に装着することにより、外部との接続作業やヒュージブルリンクの交換作業をし易くすることができる。また、電気的な接続に係る部品を電気接続箱本体の側部又はカセットブロックの側部に集約することから、スペース利用面での効率がよく、電気接続箱の小型化を図ることができる。
【００２６】
請求項４に記載の本発明の電気接続箱は、請求項３に記載の電気接続箱に係り、前記ヒュージブルリンク一体型ボルトブロックを構成するヒュージブルリンクの可溶体を外部から視認可能な状態に前記側部に装着してなることを特徴とする。
【００２７】
このような特徴を有する本発明によれば、ヒュージブルリンク一体型ボルトブロックが電気接続箱本体の側部又はカセットブロックの側部に装着された状態でヒュージブルリンクの可溶体を視認することができる。これにより、可溶体の溶断有無を容易に確認することができる。
【発明の効果】
【００２８】
請求項１に記載された本発明によれば、電気的な接続やこれに係る部品を集約することが可能なヒュージブルリンク一体型ボルトブロックを提供することができるという効果を奏する。従って、ヒュージブルリンク一体型ボルトブロックを電気接続箱に採用すれば、電気接続箱の小型化を図ることや作業効率の向上を図ることができるという効果を奏する。
【００２９】
請求項２に記載された本発明によれば、例えばコネクタとして機能する部分を更に一体化することから、ヒュージブルリンク一体型ボルトブロックを電気接続箱に採用すれば、電気接続箱の更なる小型化を図ることや作業効率の向上を図ることができるという効果を奏する。
【００３０】
請求項３に記載された本発明によれば、ヒュージブルリンク一体型ボルトブロックを採用する電気接続箱になることから、小型化を図ることや作業効率の向上を図ることができるという効果を奏する。
【００３１】
請求項４に記載された本発明によれば、ヒュージブルリンクの可溶体を外部から視認することができるという効果を奏する。従って、作業効率の更なる向上を図ることができるという効果を奏する。
【図面の簡単な説明】
【００３２】
【図１】本発明に係るヒュージブルリンク一体型ボルトブロック（ＦＬボルトブロック）を含む電気接続箱の分解斜視図である（実施例１）。
【図２】カセットブロックアッセンブリの分解斜視図である。
【図３】ＦＬボルトブロック着脱部の拡大斜視図である。
【図４】ＦＬボルトブロックの斜視図である。
【図５】ＦＬボルトブロックの正面図である。
【図６】ＦＬボルトブロックの分解斜視図である。
【図７】ＦＬバスバー組立体の分解斜視図である。
【図８】ＦＬ可溶体カバーの分解斜視図である。
【図９】ＦＬボルトブロックとカセットブロックのバスバーとの接続状態を示す一部破断面を含んだ斜視図である。
【図１０】ＦＬボルトブロックとバスバーとの接続状態を示す斜視図である。
【図１１】ＦＬバスバー組立体とバスバーとの接続状態を示す斜視図である。
【図１２】本発明に係るヒュージブルリンク一体型ボルトブロック（ＦＬボルトブロック）を含む電気接続箱の分解斜視図である（実施例２）。
【図１３】ＦＬボルトブロック及び電気接続箱本体の一側部の拡大斜視図である。
【図１４】カセットブロックアッセンブリの斜視図である。
【図１５】ＦＬボルトブロックの斜視図である。
【図１６】ＦＬボルトブロックの分解斜視図である。
【図１７】ＦＬボルトブロックを装着する状態を示すカセットブロックアッセンブリの斜視図である。
【図１８】ＦＬボルトブロックの斜視図である（実施例３）。
【図１９】ＦＬボルトブロックの分解斜視図である。
【図２０】カセットブロックアッセンブリの斜視図である（実施例４）。
【図２１】ＦＬボルトブロックの斜視図である。
【図２２】ＦＬボルトブロックの分解斜視図である。
【図２３】ＦＬボルトブロックを装着する状態を示すカセットブロックアッセンブリの斜視図である。
【図２４】従来例の電気接続箱の分解斜視図である。
【発明を実施するための形態】
【００３３】
ヒュージブルリンク一体型ボルトブロックは、ブロック部とボルトとを含むボルトブロックにヒュージブルリンクを一体化させてなるものであり、このようなヒュージブルリンク一体型ボルトブロックを電気接続箱本体の側部に装着することで、電気接続箱は小型になる。また、電気接続箱は作業効率が向上する。
【実施例１】
【００３４】
以下、図面を参照しながら実施例１を説明する。図１はＦＬボルトブロックを含む電気接続箱の分解斜視図である。また、図２はカセットブロックアッセンブリの分解斜視図、図３はＦＬボルトブロック着脱部の拡大斜視図、図４はＦＬボルトブロックの斜視図、図５はＦＬボルトブロックの正面図、図６はＦＬボルトブロックの分解斜視図、図７はＦＬバスバー組立体の分解斜視図、図８はＦＬ可溶体カバーの分解斜視図、図９はＦＬボルトブロックとカセットブロックのバスバーとの接続状態を示す一部破断面を含んだ斜視図、図１０はＦＬボルトブロックとバスバーとの接続状態を示す斜視図、図１１はＦＬバスバー組立体とバスバーとの接続状態を示す斜視図である。
【００３５】
以下の説明において、具体的な形状、材料、数値、方向等は、本発明の理解を容易にするための例示であって、用途、目的、仕様等に合わせて適宜変更することができるものとする。
【００３６】
図１及び図２中の矢印Ｐは上下方向、矢印Ｑは左右方向、矢印Ｒは前後方向を示すものとする。
【００３７】
図１において、自動車等の車両（図示省略）に搭載される電気機器としての電気接続箱１は、電気接続箱本体２と、アッパーカバー３と、ロアカバー４と、サイドカバー５とを備えて構成されている。このような構成の電気接続箱１には、電線６の端末に設けられた端子金具７や、図示しないワイヤハーネス等が接続されている。
【００３８】
電線６は、図示しないオルタネータに接続されている。端子金具７は、電気接続箱本体２の端子取り付け部（後述する）に接続されている。端子取り付け部には、上記の電線６及び端子金具７の他に、図示しないバッテリーに接続される電線もコネクタによって接続されている。端子取り付け部は、サイドカバー５にて覆われ、接続部分等が保護されている。端子取り付け部は、サイドカバー５を取り外すと、容易に露出する位置に配設されている。
【００３９】
図１及び図２において、上記端子取り付け部としては、着脱自在のＦＬボルトブロック８（ヒュージブルリンク一体型ボルトブロック）が用いられている。このＦＬボルトブロック８は、メインとなるヒュージブルリンクの機能を備えている。ＦＬボルトブロック８は、上記の如くサイドカバー５にて覆われる位置に配設されることから、メンテナンスし易い位置の配設であると言える。尚、ＦＬボルトブロック８の構成及び構造については後述するものとする。
【００４０】
上記図示しないワイヤハーネスは、この一端が電気接続箱本体２の下部にコネクタ等で接続されている。そして、ロアカバー４から引き出されると、所定の経路で配索されるようになっている。図示しないワイヤハーネスの他端は、例えばジャンクションブロック等に接続されている。
【００４１】
電気接続箱１は、車両の所定位置に固定されている。本実施例においては、エンジンルーム内の所定位置に適宜手段にて固定されている。
【００４２】
電気接続箱本体２は、絶縁性を有する合成樹脂製のハウジング９と、このハウジング９の内側に嵌合するカセットブロックアッセンブリ１０とを含んで構成されている。カセットブロックアッセンブリ１０には、電気接続箱１の機能部分が集約されている。
【００４３】
カセットブロックアッセンブリ１０は、ＦＬボルトブロック８を含んで構成されており、このＦＬボルトブロック８が電気接続箱本体２の側部に位置するような構造になっている。
【００４４】
ハウジング９は、樹脂成形品であって、上端の開口部分がアッパーカバー３の嵌合部分として形成されている。この上端の嵌合部分には、ロック部１１が複数形成されている。また、ハウジング９は、下端の開口部分がロアカバー４の嵌合部分として形成されている。この下端の嵌合部分には、ロック部１２が複数形成されている。さらに、ハウジング９は、この一側部の開口部分がサイドカバー５の嵌合部分として形成されている。一側部の嵌合部分には、ロック部１３が複数形成されている。
【００４５】
上記一側部の開口部分において、引用符号１４は隔壁を示している。この隔壁１４は、ＦＬボルトブロック８と電線６との間や、端子金具７の電線接続部との間に介在する壁として形成されている。
【００４６】
ハウジング９の内側には、カセットブロックアッセンブリ１０に対する嵌合部１５が形成されている。この嵌合部１５は、ハウジング９の下端の開口部分から上端の嵌合部分に向けてカセットブロックアッセンブリ１０を差し込むことができるように、また、カセットブロックアッセンブリ１０をハウジング９の内側に嵌合させることができるように形成されている。嵌合部１５は、カセットブロックアッセンブリ１０の大きさに合わせた空間を有するように形成されている。嵌合部１５には、ロック部１６が複数形成されている。
【００４７】
尚、引用符号１７はカセットブロックアッセンブリ１０の隣りに配置される電子ユニットを示している。また、引用符号１８は電子ユニット１７に対する嵌合部を示している。
【００４８】
図２において、カセットブロックアッセンブリ１０は、カセットブロック１９と、このカセットブロック１９の所定位置に装着されるヒュージブルリンク２０、２１、２２と、同じくカセットブロック１９の所定位置に装着されるヒューズ（図示省略）等と、上記のＦＬボルトブロック８とを含んで構成されている。ＦＬボルトブロック８は、上記の如く、メインとなるヒュージブルリンクの機能を備えて構成されている。具体的には、メインヒュージブルリンク２３（ヒュージブルリンク）をボルトブロック２４に一体に備えて構成されている。
【００４９】
図２及び図３において、カセットブロック１９は、絶縁性のブロックハウジング２５と、このブロックハウジング２５に組み付けられる導電性のバスバー２６、２７とを含んで構成されている。
【００５０】
ブロックハウジング２５は、樹脂成形品であって、本実施例においては矢印Ｒ方向に細長くなる形状に形成されている（形状は一例であるものとする）。ブロックハウジング２５には、数多くのキャビティが形成されている。引用符号２８、２９、３０はヒュージブルリンク２０、２１、２２用のキャビティを示している。また、引用符号３１は図示しないヒューズ用のキャビティを示している。
【００５１】
ブロックハウジング２５は、この下側に図示しないワイヤハーネスに対する接続部分を複数有している。また、ブロックハウジング２５は、この側部にロック部３２を複数有している。ロック部３２は、ハウジング９の内側に設けられる嵌合部１５のロック部１６（図１参照）に嵌合する部分として形成されている。
【００５２】
ブロックハウジング２５は、矢印Ｒ方向の一端にＦＬボルトブロック着脱部３３を有している。言い換えれば、ハウジング９の一側部の開口部分（電気接続箱本体２の側部位置）に合わせてＦＬボルトブロック着脱部３３を有している。このＦＬボルトブロック着脱部３３は、ＦＬボルトブロック８を矢印Ｒ方向に沿って着脱自在に装着するすることができるように形成されている。
【００５３】
図３において、ＦＬボルトブロック着脱部３３は、ＦＬボルトブロック８を収容する略ケーシング状の形状に形成されている。以下、ＦＬボルトブロック着脱部３３の形状について上側から順に説明をする。
【００５４】
引用符号３４はフード部を示している。このフード部３４は、上方に突出する略囲い部分として形成されている。本実施例において、フード部３４は湾曲する壁形状に形成されている。また、フード部３４は、上側と前側が開口するようにも形成されている。フード部３４は、この上側の開口が後述するナット５３のねじ込み（締め付け）作業に支障を来さないように、また、前側の開口がＦＬボルトブロック８の取り外し作業に支障を来さないように形成されている。
【００５５】
上記前側の開口は、端子案内部３５として形成されている。端子案内部３５は、ＦＬボルトブロック８への接続の際に端子金具７を案内する部分として形成されている。また、端子案内部３５は、端子金具７の配置を規制する部分としても形成されている。
【００５６】
引用符号３６は一対のサイドカバー受け面を示している。この一対のサイドカバー受け面３６は、端子案内部３５の開口に連続するように形成されている。一対のサイドカバー受け面３６は、ハウジング９の一側部にサイドカバー５（図１参照）を取り付ける際に、サイドカバー５の上部が当接する部分として形成されている。
【００５７】
引用符号３７は一対のガイド部を示している。この一対のガイド部３７は、ＦＬボルトブロック８の着脱時にこれを案内する部分として形成されている。一対のガイド部３７は、一対のサイドカバー受け面３６の下側に配置形成されている。一対のガイド部３７は、本実施例において、上下方向の配置が左右で若干異なるように設定されている（ＦＬボルトブロック８の誤組み付け防止のための配置であるものとする）。
【００５８】
引用符号３８は左側の側壁を示している。この左側の側壁３８は、ＦＬボルトブロック８の左側に対向する側壁として形成されている。左側の側壁３８は、左側のガイド部３７の下側に連続するように配置形成されている。このような左側の側壁３８の内面には、ロック部３９が形成されている。ロック部３９は、ＦＬボルトブロック８を係止する部分として略爪状の形状に形成されている。ＦＬボルトブロック８は、ロック部３９に引っ掛かり係止されると、ＦＬボルトブロック着脱部３３からの脱落が規制されるようになっている。
【００５９】
引用符号４０は右側の側壁を示している。この右側の側壁４０は、ＦＬボルトブロック８の右側に対向する側壁として形成されている。右側の側壁４０は、左側の側壁３８よりも下方へ長く形成されている。右側の側壁４０は、右側のガイド部３７の下側に連続するように配置形成されている。このような右側の側壁４０の内面には、逃がし部４１と、ガイド部４２とが形成されている。
【００６０】
逃がし部４１は、ＦＬボルトブロック８の後述するＦＬ可溶体カバー７６の一部が当たらないように逃がす部分として形成されている。逃がし部４１は、右側のガイド部３７の近傍に配置形成されている。ガイド部４２は、ＦＬボルトブロック８の着脱時にこれを案内する部分として形成されている。ガイド部４２は、右側の側壁４０の一番下に配置形成されている。
【００６１】
引用符号４３はＦＬボルトブロック８に対する収容空間を示している。この収容空間４３は、ＦＬボルトブロック８を収容する空間であるのは勿論のこと、後述するバスバー２６、２７の第一接続相手４６、第二接続相手４７を露出させる空間にもなっている。
【００６２】
引用符号４４は下部開口を示している。この下部開口４４は、図示しないバッテリーに接続される電線のコネクタ接続をすることができるように開口形成されている。
【００６３】
図３及び図１０において、バスバー２６、２７は、導電性を有する金属板をプレス加工することにより形成されている。バスバー２６、２７は、回路部品であって、それぞれ所望の経路を有するように形成されている。バスバー２６、２７は、オルタネータ側のバスバー及びバッテリー側のバスバーとして用いられている。
【００６４】
バスバー２６、２７の中間には、電気的な接続部分としてのタブ４５（図２及び図１０参照）が数多く形成されている。タブ４５は、上記キャビティ２８〜３０の位置に合わせて配置形成されている。タブ４５の他には、音叉端子（図示省略）も数多く形成されている。音叉端子は、上記キャビティ３１の位置に合わせて配置形成されている。バスバー２６、２７は、矢印Ｒ方向（図２参照）にのびるとともに、途中で数多くのタブ４５を突出させるように形成されている。
【００６５】
バスバー２６は、ＦＬボルトブロック８から見て接続相手となる第一接続相手４６を有している。また、バスバー２７も、ＦＬボルトブロック８から見て接続相手となる第二接続相手４７を有している。第一接続相手４６及び第二接続相手４７は、矢印Ｒ方向（図２参照）の一端に位置するように配置形成されている。また、第一接続相手４６及び第二接続相手４７は、ＦＬボルトブロック着脱部３３の収容空間４３に露出するように配置形成されている。
【００６６】
第一接続相手４６及び第二接続相手４７は、上下方向に所定の間隔をあけて配置される板状端子であって、それぞれボルト挿通部４８及び４９を有している。ボルト挿通部４８は、Ｕ字状の切り欠き形状に形成されている。また、ボルト挿通部４９は、円形の貫通孔形状に形成されている。ボルト挿通部４８の切り欠き方向及びボルト挿通４９の貫通方向は、ＦＬボルトブロック８の着脱方向（上記矢印Ｒ方向）に一致するようになっている。
【００６７】
尚、ＦＬボルトブロック８から見ると、端子金具７（図２参照）は第三接続相手に相当するものとする。図２において、第三接続相手としての端子金具７は、導電性を有する金属板をプレス加工することにより例えば図示の形状に形成されている。端子金具７は、板状の電気接触部を有しており、この電気接触部にボルト挿通部５０を有している。端子金具７のボルト挿通部５０は、円形の貫通孔となる形状に形成されている。
【００６８】
図４ないし図６において、ＦＬボルトブロック８は、ボルトブロック２４と、メインヒュージブルリンク２３（ヒュージブルリンク）を含むＦＬバスバー組立体５１とを備えて構成されている。ＦＬバスバー組立体５１は、ボルトブロック２４に対し一体化するように構成されている。また、ＦＬバスバー組立体５１は、メンテナンス等の際に取り外しをすることができるように構成されている。すなわち、ＦＬバスバー組立体５１は、ボルトブロック２４に対し着脱自在に構成されている。
【００６９】
ボルトブロック２４は、ボルト５２及びナット５３と、絶縁性を有し且つ略枠体形状（又は略筐体形状）に形成される樹脂製のブロック部５４とを備えて構成されている。ボルト５２は、ブロック部５４の所定位置に固定されている。ボルト５２は、平面視矩形状のボルト頭部５５と、このボルト頭部５５に立設するボルト軸部５６とを有している。ボルト軸部５６には、ナット５３が締め付けられるようになっている。
【００７０】
ブロック部５４は、上壁５７と、左側の側壁５８と、右側の側壁５９と、コネクタハウジング６０（ハウジング）と、これらに囲まれる内部空間６１とを有している。上壁５７は、ボルト５２を固定する上記所定位置であって、ここにはボルト固定部６２が配設されている。
【００７１】
ボルト固定部６２は、ボルト頭部５５を収容保持する収容保持部６３と、ボルト頭部５５の挿入口となる開口部６４と、ボルト軸部５６を挿通案内するスリット６５とを有して図示形状に形成されている（図６参照）。ボルト固定部６２は、ボルト５２を後から前へ向けて挿入することができるように形成されている。本実施例のボルト固定部６２は、ボルト頭部５５を圧入状態にて収容保持することができるように形成されている。
【００７２】
ボルト固定部６２の左右には、ガイド部６６がそれぞれ形成されている。この一対のガイド部６６は、ＦＬボルトブロック着脱部３３（図３参照）に対しＦＬボルトブロック８を着脱する際にガイドされる部分（被ガイド部分）として形成されている。一対のガイド部６６は、本実施例において、上下方向の配置が左右で若干異なるように設定されている（ＦＬボルトブロック８の誤組み付け防止のための配置として設定されている）。
【００７３】
左側の側壁５８は、ＦＬボルトブロック着脱部３３の左側の側壁３８（図３参照）に対向する壁として形成されている。左側の側壁５８の外面には、一対のロック部６７（図５参照）と、ＦＬボルトブロック着脱部３３のロック部３９に係止されるロック部６８（図５参照）とが形成されている。一対のロック部６７は、後述するＦＬ可溶体カバー７６の一部を係止する部分として形成されている。
【００７４】
右側の側壁５９は、ＦＬボルトブロック着脱部３３の右側の側壁４０（図３参照）に対向する壁として形成されている。右側の側壁５９の外面には、一対の凸部６９が突出形成されている。一対の凸部６９は、ピン形状であって、後述するＦＬ可溶体カバー７６の一部の挿入先として形成されている。
【００７５】
後述するＦＬ可溶体カバー７６は、右から左方向へと移動すると、一対の凸部６９に差し込まれるとともに、一対のロック部６７により係止されるようになっている。
【００７６】
コネクタハウジング６０は、左側の側壁５８及び右側の側壁５９の下側に連続するように配置形成されている。コネクタハウジング６０は、図示しないバッテリーに接続される電線端末のコネクタが嵌合する部分として形成されている。コネクタハウジング６０は、後述するタブ８０を囲うような形状に形成されている。
【００７７】
コネクタハウジング６０における引用符号７０はロック部を示している。このロック部７０は、上記電線端末のコネクタに設けられる例えばアーム形状のロック部を引っ掛けて係止する部分として形成されている。また、コネクタハウジング６０における引用符号７１はタブ挿入スリットを示している。このタブ挿入スリット７１は、後述するタブ８０の挿入部分として形成されている。
【００７８】
コネクタハウジング６０の右側壁の下部には、ガイド部７２が形成されている。このガイド部７２は、ＦＬボルトブロック着脱部３３（図３参照）に対しＦＬボルトブロック８を着脱する際にガイドされる部分（被ガイド部分）として形成されている。
【００７９】
内部空間６１は、上壁５７と、左側の側壁５８と、右側の側壁５９と、コネクタハウジング６０とに囲まれて形成される空間であって、メインヒュージブルリンク２３の後述する可溶体７７を外部から視認することができるようにする空間になっている（図５参照）。また、内部空間６１は、図９に示す如く、メインヒュージブルリンク２３の後述する他方のヒューズ端子７９と、バスバー２７の第二接続相手４７とを、ボルト７３の締め付けにより電気的に接続することができるようにする空間になっている。尚、ボルト７３の締め付け先となるナット７４は、ＦＬボルトブロック着脱部３３に形成されたナット固定部７５に固定されている。ナット７４は、他方のヒューズ端子７９や第二接続相手４７の位置に合わせて配置固定されている。
【００８０】
図６及び図７において、ＦＬバスバー組立体５１は、メインヒュージブルリンク２３と、ＦＬ可溶体カバー７６とを備えて構成されている。ＦＬバスバー組立体５１は、上記の如く、ボルトブロック２４に組み付けられると一体化するようなものになっている。また、ＦＬバスバー組立体５１は、ボルトブロック２４に対し着脱自在なものであって、本実施例においては右から左方向へ移動させるとボルトブロック２４に対し組み付けられ、この組み付け状態から右方向へ移動させると取り外されてメンテナンスすることが可能になっている。
【００８１】
尚、図６においてはＦＬバスバー組立体５１にボルト５２が組み付くように示されているが、実際には、ブロック部５４のボルト固定部６２にボルト５２が固定され、その上でＦＬバスバー組立体５１が移動して組み付くものとする。
【００８２】
メインヒュージブルリンク２３は、導電性を有する金属板をプレス加工することにより形成されている。メインヒュージブルリンク２３は、可溶体７７と、この可溶体７７の上側に連続する一方のヒューズ端子７８と、可溶体７７の下側に連続する他方のヒューズ端子７９と、この他方のヒューズ端子７９の下側に連続するタブ８０（外部接続用の部分）とを有している。
【００８３】
可溶体７７は、過電流により溶断する可溶体本体８１と、一対のスリット８２とを有している。可溶体本体８１は、図示の如く公知の形状に形成されている。
【００８４】
このような可溶体７７と一方のヒューズ端子７８との連続部分、及び、可溶体７７と他方のヒューズ端子７９との連続部分には、それぞれ一対の貫通孔８３が形成されている。一対の貫通孔８３と上記の一対のスリット８２は、ＦＬ可溶体カバー７６の組み付けに用いる部分として形成されている。
【００８５】
一方のヒューズ端子７８は、第三接続相手としての端子金具７（図２参照）と、バスバー２６の第一接続相手４６（図３及び図９参照）とに対し電気的に接続される部分であって、本実施例においては図６及び図７に示す如くの形状に形成されている（形状は一例であるものとする）。
【００８６】
図７において、一方のヒューズ端子７８は、ブロック部５４のボルト固定部６２に係合する部分と、可溶体７７に連続する部分８４とを有している。ボルト固定部６２に係合する部分において、引用符号８５は電気接触部を示している。この電気接触部８５は、平板状であって、ボルト５２を挿通するスリット８６（ボルト挿通部）を有している。スリット８６は、左から右方向へ切り欠かれるような形状に形成されている。また、引用符号８７、８８はガイド部を示している。このガイド部８７、８８は電気接触部８５に連続し、ブロック部５４のボルト固定部６２（図６参照）をこの前後で挟み込むようなガイド部分として形成されている。ガイド部８８は、可溶体７７に連続する部分８４に連成されている。
【００８７】
他方のヒューズ端子７９は、バスバー２７の第二接続相手４７（図３及び図９参照）に対し電気的に接続される部分であって、本実施例においては図７に示す如くの形状に形成されている（形状は一例であるものとする）。他方のヒューズ端子７９は、平板状の電気接触部８９と、この電気接触部８９の所定位置に貫通するボルト挿通孔９０とを有している。ボルト挿通孔９０は、前後方向に貫通形成されている。
【００８８】
タブ８０は、ＦＬボルトブロック８におけるコネクタ９１（図４ないし図６参照）を構成する端子であって、ブロック部５４のコネクタハウジング６０に囲われるようになっている。タブ８０は、外部との電気的な接続部分として形成されている。尚、他方のヒューズ端子７９に一体化するのはタブ８０に限らないものとする（実施例４で後述するボルト３５３等もある）。
【００８９】
図７及び図８において、ＦＬ可溶体カバー７６は、第一カバー９２と、第二カバー９３とを備えて構成されている。ＦＬ可溶体カバー７６は、メインヒュージブルリンク２３の可溶体７７を覆う絶縁性の樹脂部品であって、前後方向から嵌合して一体化するように形成されている。
【００９０】
第一カバー９２は、矩形の窓９４を有する枠部９５と、この枠部９５の右側縁に連続するボルトブロック係合部９６及び一対のロック部９７とを有している。窓９４は、可溶体７７の可溶体本体８１を臨むことができるように開口形成されている。ボルトブロック係合部９６は、上記右側縁から前方へ突出するような壁状の部分に形成されている。ボルトブロック係合部９６には、一対の貫通孔９８が形成されている。一対の貫通孔９８は、ボルトブロック２４の一対の凸部６９に差し込まれる部分として形成されている。
【００９１】
一対のロック部９７は、上記右側縁から後方へ突出するような係止枠形状に形成されている。一対のロック部９７には、第二カバー９３が嵌合するようになっている。一対のロック部９７の間には、凹部９９が形成されている。この凹部９９には、第二カバー９３の後述する凸部１０５が差し込まれるようになっている。
【００９２】
第二カバー９３は、板状に形成されている。このような第二カバー９３は、可溶体７７の形状に合わせて凹む可溶体収容凹部１００と、可溶体収容凹部１００から前方へ突出する複数の円形突起１０１及び矩形突起１０２と、第二カバー９３の左側縁から左方向へ突出する略係止アーム形状の一対のロック部１０３と、第二カバー９３の右側縁から右方向へ短く突出する略爪状の一対のロック部１０４と、この一対のロック部１０４の間に配置され右方向へ突出する凸部１０５とを有している。
【００９３】
上記構成及び構造において、メインヒュージブルリンク２３の可溶体７７を覆うようにＦＬ可溶体カバー７６を組み付けると、図６に示す如くＦＬバスバー組立体５１が形成される。また、ブロック部５４のボルト固定部６２にボルト頭部５５を収容保持させてボルト５２を固定すると、ボルトブロック２４が形成される。そして、ボルトブロック２４に対しＦＬバスバー組立体５１を右から左方向へ移動させてこれらの組み付けを行うと、図４及び図５に示す如くＦＬバスバー組立体５１がボルトブロック２４に対し一体化してＦＬボルトブロック８が形成される。
【００９４】
図９において、カセットブロック１９の前方から矢印Ｒ方向（図２参照）に沿ってＦＬボルトブロック８をＦＬボルトブロック着脱部３３に差し込んで嵌合させると、ＦＬボルトブロック８は図示の如く装着される。
【００９５】
ＦＬボルトブロック８がＦＬボルトブロック着脱部３３に装着されると、メインヒュージブルリンク２３の一方のヒューズ端子７８の上にバスバー２６の第一接続相手４６が重なるようになる。これにより、ボルトブロック２４のボルト５２の部分で電気的な接触状態が形成される。また、ＦＬボルトブロック８がＦＬボルトブロック着脱部３３に装着されると、メインヒュージブルリンク２３の他方のヒューズ端子７９の後にバスバー２７の第二接続相手４７が重なるようになる。これにより他方のヒューズ端子７９の部分で電気的な接触状態が形成される。
【００９６】
他方のヒューズ端子７９とバスバー２７の第二接続相手４７は、ボルト７３及びナット７４の締め付けにより接続が完了する。
【００９７】
尚、メインヒュージブルリンク２３の一方のヒューズ端子７８及び他方のヒューズ端子７９と、バスバー２６、２７は、図１０及び図１１に示す如くの状態に接続される。
【００９８】
ＦＬボルトブロック８をＦＬボルトブロック着脱部３３に差し込んで装着した状態のカセットブロック１９は、ハウジング９に組み付けられ、これにより電気接続箱本体２が形成される（図１参照）。
【００９９】
電気接続箱本体２は、図１に示す如く、ＦＬボルトブロック８に対し端子金具７をセットし、この後にナット５３のねじ込みを行うと、端子金具７自身の電気的な接続が完了する。また、これと同時に、メインヒュージブルリンク２３の一方のヒューズ端子７８と、バスバー２６の第一接続相手４６との電気的な接続も完了する。
【０１００】
以上から分かるように、端子金具７を接続するにあたり、ナット５３をねじ込むと一括接続をすることができるようになる。
【０１０１】
端子金具７の接続部分に関し、この部分はサイドカバー５にて覆われ保護される。サイドカバー５を取り外すと、端子金具７の接続部分は容易に露出する。
【０１０２】
以上、図１ないし図１１を参照しながら説明してきたように、本発明に係るＦＬボルトブロック８（ヒュージブルリンク一体型ボルトブロック）は、導電性を有する一方及び他方のヒューズ端子７８、７９と、これらの間に介在する可溶体７７とを含むメインヒュージブルリンク２３（ヒュージブルリンク）を備えている。また、絶縁性を有し且つ略枠体形状に形成されるブロック部５４と、このブロック部５４の所定位置に配設されるボルト５２とを含むボルトブロック２４を備えている。さらに、ボルトブロック２４におけるボルト５２の配設位置に一方のヒューズ端子７８を配置してメインヒュージブルリンク２３をボルトブロック２４に一体化させている。
【０１０３】
従って、ＦＬボルトブロック８は、上記構成及び構造であることから、ボルトブロック２４のボルト５２を外部との接続部分として用いることができる。このようなボルト５２に対しメインヒュージブルリンク２３の一方のヒューズ端子７８を配置すれば、電気的な接続を従来に比べ格段に集約することができる。また、電気的な接続に係る部品も従来に比べ格段に集約することができる。
【０１０４】
また、本発明に係るＦＬボルトブロック８は、メインヒュージブルリンク２３をボルトブロック２４に対し着脱自在に一体化させている。
【０１０５】
従って、ＦＬボルトブロック８は、メインヒュージブルリンク２３における可溶体７７（可溶体本体８１）が溶断した場合に、メインヒュージブルリンク２３をボルトブロック２４から取り外し、新しいものと交換することができる。
【０１０６】
さらに、本発明に係るＦＬボルトブロック８は、メインヒュージブルリンク２３の他方のヒューズ端子７９に外部接続用のタブ８０を設けるとともに、ブロック部５４にタブ８０を囲うコネクタハウジング６０を設けている。
【０１０７】
従って、ＦＬボルトブロック８は、タブ８０とコネクタハウジング６０とでコネクタ９１を構成し、このようなコネクタ９１も一体化させることができる。コネクタ９１は、外部との接続部分として用いることができ、ボルト５２やコネクタ９１に図示しないバッテリーやオルタネータからの電線をコネクタ接続することができる。つまり、ＦＬボルトブロック８は、電気的な接続やこれに係る部品を更に多く集約することができる。
【０１０８】
一方、本発明に係る電気接続箱１は、上記ＦＬボルトブロック８をカセットブロック１９の側部に着脱自在に装着し、これを含んで電気接続箱本体２を構成している。
【０１０９】
従って、電気接続箱１は、着脱自在なメインヒュージブルリンク２３を含むことから、この交換作業に関し、これをし易くすることができる。また、電気接続箱１は、電気的な接続に係る部品を電気接続箱本体２の側部やカセットブロック１９の側部に集約できることから、スペース利用面での効率を向上させ、結果、電気接続箱１の小型化を図ることができる。
【０１１０】
また、本発明に係る電気接続箱１は、メインヒュージブルリンク２３における可溶体７７をカセットブロック１９の外部から視認可能な状態に装着している。
【０１１１】
従って、ＦＬボルトブロック８の装着状態において、メインヒュージブルリンク２３における可溶体７７の溶断有無を容易に確認することができる。
【実施例２】
【０１１２】
以下、図面を参照しながら実施例２を説明する。図１２は本発明に係るＦＬボルトブロックを含む電気接続箱の分解斜視図である。また、図１３はＦＬボルトブロック及び電気接続箱本体の一側部の拡大斜視図、図１４はカセットブロックアッセンブリの斜視図、図１５はＦＬボルトブロックの斜視図、図１６はＦＬボルトブロックの分解斜視図、図１７はＦＬボルトブロックを装着する状態を示すカセットブロックアッセンブリの斜視図である。尚、上記実施例１と同一の構成部材には同一の符号を付して詳細な説明を省略する。
【０１１３】
図１２において、自動車等の車両（図示省略）に搭載される電気機器としての電気接続箱２０１は、電気接続箱本体２０２と、アッパーカバー２０３と、ロアカバー２０４と、サイドカバー２０５とを備えて構成されている。このような構成の電気接続箱２０１には、電線２０６の端末に設けられた端子金具２０７や、図示しないワイヤハーネス等が接続されている。
【０１１４】
電線２０６は、図示しないオルタネータに接続されている。端子金具２０７は、電気接続箱本体２０２の端子取り付け部（後述する）に接続されている。端子取り付け部は、サイドカバー２０５にて覆われ、接続部分等が保護されている。端子取り付け部は、サイドカバー２０５を取り外すと、容易に露出する位置に配設されている。
【０１１５】
図１２及び図１３において、上記端子取り付け部としては、着脱自在のＦＬボルトブロック２０８（ヒュージブルリンク一体型ボルトブロック）が用いられている。このＦＬボルトブロック２０８は、メインとなるヒュージブルリンクの機能を備えている。ＦＬボルトブロック２０８は、サイドカバー２０５にて覆われる位置に配設されることから、メンテナンスし易い位置の配設であると言える。
【０１１６】
ＦＬボルトブロック２０８は、上記のメンテナンスし易い位置の配設以外に、一回のねじ締め又はねじ締め解除で、二箇所又は三箇所の電気的な締結又は締結解除をすることができるような構造を有している。本実施例において、メインとなるヒュージブルリンクだけを見ると二箇所の電気的な締結又は締結解除となり、端子金具２０７の接続を含めて見ると三箇所の電気的な締結又は締結解除となるようになっている。尚、ＦＬボルトブロック２０８の構成及び構造については後述するものとする。
【０１１７】
上記図示しないワイヤハーネスは、この一端が電気接続箱本体２０２の下部にコネクタ等で接続されている。そして、ロアカバー２０４から引き出されると、所定の経路で配索されるようになっている。図示しないワイヤハーネスの他端は、例えばジャンクションブロック等に接続されている。
【０１１８】
電気接続箱２０１は、車両の所定位置に固定されている。本実施例においては、エンジンルーム内の所定位置に適宜手段にて固定されている。
【０１１９】
電気接続箱本体２０２は、絶縁性を有する合成樹脂製のハウジング２０９と、このハウジング２０９の内側に嵌合するカセットブロックアッセンブリ２１０とを含んで構成されている。カセットブロックアッセンブリ２１０には、電気接続箱２０１の機能部分が集約されている。
【０１２０】
カセットブロックアッセンブリ２１０は、ＦＬボルトブロック２０８を含んで構成されており、このＦＬボルトブロック２０８が電気接続箱本体２０２の側部に位置するような構造になっている。
【０１２１】
ハウジング２０９は、樹脂成形品であって、上端の開口部分がアッパーカバー２０３の嵌合部分として形成されている。この上端の嵌合部分には、ロック部２１１が複数形成されている。また、ハウジング２０９は、下端の開口部分がロアカバー２０４の嵌合部分として形成されている。この下端の嵌合部分には、ロック部２１２が複数形成されている。さらに、ハウジング２０９は、この一側部の開口部分がサイドカバー２０５の嵌合部分として形成されている。上記一側部の嵌合部分には、ロック部２１３が複数形成されている。
【０１２２】
上記一側部の開口部分は、カセットブロックアッセンブリ２１０のＦＬボルトブロック２０８を臨むことができるような形状に形成されている。また、上記一側部の開口部分は、ＦＬボルトブロック２０８を着脱することができる形状に形成されている。上記一側部の開口部分でＦＬボルトブロック２０８を着脱できる点は、実施例１と異なっている（実施例１を実施例２と同様に一側部の開口部分で着脱できるようにしてもよいものとする）。
【０１２３】
上記一側部の開口部分において、引用符号２１４は端子案内部を示している。また、引用符号２１５はブリッジ部を示している。端子案内部２１４は、ＦＬボルトブロック２０８への接続の際に端子金具２０７を案内することができるように、また、この端子金具２０７の配置を規制することができるように形成されている。ブリッジ部２１５は、開口部分を横切るような形状に形成されている。
【０１２４】
ハウジング２０９の内側には、カセットブロックアッセンブリ２１０に対する嵌合部２１６が形成されている。この嵌合部２１６は、ハウジング２０９の下端の開口部分から上端の嵌合部分に向けてカセットブロックアッセンブリ２１０を差し込むことができるように、また、カセットブロックアッセンブリ２１０をハウジング２０９の内側に嵌合させることができるように形成されている。嵌合部２１６は、カセットブロックアッセンブリ２１０の大きさに合わせた空間を有するように形成されている。嵌合部２１６には、ロック部２１７が複数形成されている。
【０１２５】
尚、引用符号２１８は図示しない他のカセットブロックアッセンブリに対する嵌合部を示している。
【０１２６】
図１４において、カセットブロックアッセンブリ２１０は、カセットブロック２１９と、このカセットブロック２１９の所定位置に装着されるヒュージブルリンク２２０、２２１、２２２と、同じくカセットブロック２１９の所定位置に装着されるヒューズ（図示省略）及びリレー（図示省略）と、上記のＦＬボルトブロック２０８とを含んで構成されている。ＦＬボルトブロック２０８は、上記の如く、メインとなるヒュージブルリンクの機能を備えている。具体的には、メインヒュージブルリンク２２３（ヒュージブルリンク）をボルトブロック２２４に一体に備えて構成されている。
【０１２７】
カセットブロック２１９は、絶縁性のブロックハウジング２２５と、このブロックハウジング２２５に組み付けられる導電性の二つのバスバー（図示省略。実施例１のバスバー２６、２７と基本的に同じであるものとする）とを含んで構成されている。
【０１２８】
ブロックハウジング２２５は、樹脂成形品であって、本実施例においては矢印Ｒ方向に細長くなる形状に形成されている（形状は一例であるものとする）。ブロックハウジング２２５には、数多くのキャビティが形成されている。引用符号２２６、２２７、２２８はヒュージブルリンク２２０、２２１、２２２用のキャビティを示している。また、引用符号２２９、２３０は図示しないヒューズ及びリレー用のキャビティを示している。
【０１２９】
ブロックハウジング２２５は、この下側に図示しないワイヤハーネスの接続部分としてコネクタハウジング２３１を複数有している。また、ブロックハウジング２２５は、この側部にロック部２３２を複数有している。ロック部２３２は、ハウジング２０９の内側に設けられる嵌合部２１６（図１２参照）のロック部２１７に嵌合する部分として形成されている。
【０１３０】
ブロックハウジング２２５は、矢印Ｒ方向の一端にＦＬボルトブロック着脱部２３３を有している。言い換えれば、ハウジング２０９の一側部の開口部分（電気接続箱本体２０２の側部位置）に合わせてＦＬボルトブロック着脱部２３３を有している。このＦＬボルトブロック着脱部２３３は、ＦＬボルトブロック２０８を矢印Ｒ方向に沿って着脱自在（図１３参照）にすることができるように形成されている。
【０１３１】
図１３、図１４、及び図１７において、ＦＬボルトブロック着脱部２３３は、ＦＬボルトブロック２０８を収容する略ケーシング状の形状に形成されている。具体的には、上壁２３４と、左右の側壁２３５と、前壁２３６とを有する形状に形成されている。上壁２３４及び前壁２３６は、ＦＬボルトブロック２０８の形状に合わせて開口するように形成されている。尚、特に限定するものでないが、下壁に対応する部分は全体的に開口する形状に形成されている。
【０１３２】
ＦＬボルトブロック着脱部２３３には、複数のガイド部２３７と、ロック部２３８と、フード部２３９とが形成されている。複数のガイド部２３７とロック部２３８は、左右で一対となるように配置形成されている。複数のガイド部２３７は、ＦＬボルトブロック２０８の着脱の際に、これを案内する部分として形成されている。
【０１３３】
上記二つのバスバーは、導電性を有する金属板をプレス加工することにより形成されている。バスバーは、回路部品であって、それぞれ所望の経路を有するように形成されている。バスバーは、オルタネータ側のバスバー及びバッテリー側のバスバーとして用いられている。
【０１３４】
上記二つのバスバーのうち、一方のバスバーは、ＦＬボルトブロック２０８から見て第一の接続相手となる第一接続相手２４０を有している。また、他方のバスバーも、ＦＬボルトブロック２０８から見て第二の接続相手となる第二接続相手２４１を有している。第一接続相手２４０及び第二接続相手２４１は、矢印Ｒ方向の一端に位置するように配置形成されている。また、第一接続相手２４０及び第二接続相手２４１は、ＦＬボルトブロック着脱部２３３の内部空間に突出するように配置形成されている。
【０１３５】
第一接続相手２４０及び第二接続相手２４１は、上下方向に所定の間隔をあけて配置される平行な板状端子であって、それぞれボルト挿通部２４２を有している。ボルト挿通部２４２は、Ｕ字状の切り欠き形状（スリット形状）に形成されている。ボルト挿通部２４２の切り欠き方向は、ＦＬボルトブロック２０８の着脱方向（上記矢印Ｒ方向）に一致するものとする。
【０１３６】
尚、ＦＬボルトブロック２０８から見ると、端子金具２０７（図１２参照）は第三接続相手に相当するものとする。第三接続相手としての端子金具２０７は、導電性を有する金属板をプレス加工することにより例えば図示形状（図１２参照）に形成されている。端子金具２０７は、板状の電気接触部を有しており、この電気接触部にボルト挿通部２４３を有している。端子金具２０７のボルト挿通部２４３は、円形の貫通孔となる形状に形成されている。
【０１３７】
図１３ないし図１６において、ＦＬボルトブロック２０８は、上記ボルトブロック２２４と、上記メインヒュージブルリンク２２３（ヒュージブルリンク）とを備えて構成されている。ＦＬボルトブロック２０８は、ボルトブロック２２４にメインヒュージブルリンク２２３を矢印Ｒ方向に沿って着脱自在に一体化させてなる機能部品となっている。
【０１３８】
図１５及び図１６において、ボルトブロック２２４は、一括締めボルト２４４（ボルト）と、ナット２４５と、ブロック部２４６と、ＦＬ可溶体カバー２４７とを備えて構成されている。
【０１３９】
一括締めボルト２４４は、導電性を有するボルト本体２４８と、このボルト本体２４８に一体化する絶縁性の絶縁部２４９とを備えて構成されている。ボルト本体２４８は、四隅がＲ状となるボルト頭部２５０と、略円柱状となるボルト軸部２５１とを有している。ボルト軸部２５１は、ボルト頭部２５０の中央位置に立設しており、基端部分２５２に絶縁部２４９が配設されている。ボルト軸部２５１の先端側には、ナット２４５のねじ込み部分となる、ねじ部２５３が配設されている。ねじ部２５３は、ブロック部２４６の外側に露出する位置に配設されている。
【０１４０】
絶縁部２４９は、ボルト本体２４８にインサート成形（一例であるものとする）されてなる樹脂部分であって、小径の第一環状部２５４と、大径の第二環状部２５５とを有している。第一環状部２５４は、ねじ部２５３の径に合わせて形成されている。第一環状部２５４は、接続相手のボルト挿通部がボルト軸部２５１に対し電気的に接触しないようにする部分として形成されている。第二環状部２５５は、接続相手を載置する部分として形成されている。また、第二環状部２５５は、接続相手がボルト頭部２５０に対し電気的に接触しないようにする部分としても形成されている。
【０１４１】
ナット２４５は、公知のものが用いられている。ナット２４５は、一括締めボルト２４４にねじ込まれて締結が可能であれば特に形状は限定されないものとする。尚、ナット２４５のねじ込みの際にスプリングワッシャ（図示省略）を追加してもよいものとする。
【０１４２】
ブロック部２４６は、樹脂成形品であって、ブロックハウジング２２５のＦＬボルトブロック着脱部２３３（図１７参照）に対し矢印Ｒ方向に沿って着脱自在となるように形成されている。
【０１４３】
ブロック部２４６は、上壁２５６と、下壁２５７と、左右の側壁２５８と、前壁２５９と、後壁の位置に形成される開口部２６０とを有して、略筐体形状に形成されている。また、ブロック部２４６は、ボルトガイド部２６１と、ヒューズ端子配置部２６２、２６３とを有している。
【０１４４】
上壁２５６は、一括締めボルト２４４を挿入することができるように、また、メインヒュージブルリンク２２３の後述する一方のヒューズ端子２７２を配置することができるように形成されている。具体的には、軸部挿入スリット２６４と、上記のヒューズ端子配置部２６２とを有するように形成されている。軸部挿入スリット２６４は、開口部２６０からＵ字状に切り欠かれるように形成されている。軸部挿入スリット２６４は、一括締めボルト２４４のねじ部２５３の径に合わせて形成されている。ヒューズ端子配置部２６２は、上壁２５６を後述する一方のヒューズ端子２７２の肉厚分だけ一段凹ませるように形成されている。
【０１４５】
下壁２５７は、一括締めボルト２４４が落下しないような形状に形成されている。
【０１４６】
左右の側壁２５８は、ガイド部２６５と、ロックアーム部２６６とを有している。これらガイド部２６５及びロックアーム部２６６は、左右で一対となるように配置形成されている。ガイド部２６５は、ＦＬボルトブロック着脱部２３３のガイド部２３７（図１７参照）に案内される部分であって、複数形成されている。ガイド部２６５は、矢印Ｒ方向（図１７参照）にのびるリブ状の形状に形成されている。
【０１４７】
ロックアーム部２６６は、ＦＬボルトブロック着脱部２３３のロック部２３８（図１７参照）に嵌合してロック状態を形成する部分として形成されている。ロックアーム部２６６は、可撓性を有する片持ちアーム形状に形成されている。ロックアーム部２６６は、側壁２５８の上下中間位置に配置形成されている。ロックアーム部２６６は、これを側壁２５８に近づけるように撓ませると、ロック状態が解除されるような構造部分として形成されている。
【０１４８】
側壁２５８には、上記の他に、ＦＬ可溶体カバー２４７に対するロック部２６７も形成されている。ロック部２６７は、爪状となる突起形状に形成されている。
【０１４９】
前壁２５９は、サイドカバー２０５（図１２参照）に覆われる側の壁として配置形成されている。前壁２５９には、メインヒュージブルリンク２２３の後述する可溶体２７１を収容固定することができる凹部２６８及び挿入突起（図示省略）が形成されている。挿入突起は、メインヒュージブルリンク２２３の後述する保持穴２７６に差し込まれて保持をすることができるように形成されている。挿入突起及び保持穴２７６は、本実施例において、上下方向Ｐに交差する斜め方向（対角線方向）に一対で配置形成されている。
【０１５０】
凹部２６８には、上記の他に、メインヒュージブルリンク２２３の後述する他方のヒューズ端子２７３に対する挿入口（図示省略）も形成されている。
【０１５１】
開口部２６０は、一括締めボルト２４４の装着や、上記バスバーの第二接続相手２４１の挿入をすることができるように形成されている。
【０１５２】
ボルトガイド部２６１は、ブロック部２４６の内部に挿入された一括締めボルト２４４を保持・ガイドする部分として形成されている。ボルトガイド部２６１は、軸部挿入スリット２６４の下方に配置されて左右で一対となるように形成されている。本実施例のボルトガイド部２６１は、厚肉の部分とならないように、図示のような略魚の骨状となる形状に形成されている（形状は一例であるものとする。例えば実施例３で説明するような形状もある）。一括締めボルト２４４は、ボルトガイド部２６１に保持・ガイドされると、矢印Ｐの上下方向（図１２参照）にのびるようになっている。
【０１５３】
ヒューズ端子配置部２６３は、ボルトガイド部２６１の下端に配置形成されている。ヒューズ端子配置部２６３は、上壁２５６のヒューズ端子配置部２６２と同じ部分であって、後述する他方のヒューズ端子２７３の肉厚分だけ一段凹ませるように形成されている。ヒューズ端子配置部２６３は、この部分に挿入された後述する他方のヒューズ端子２７３と、ボルトガイド部２６１に挿入された一括締めボルト２４４の絶縁部２４９との間に、接続相手（上記バスバーの第二接続相手２４１）が入り込むような位置に配置形成されている。
【０１５４】
ＦＬ可溶体カバー２４７は、メインヒュージブルリンク２２３の後述する可溶体２７１を覆う樹脂部材であって、矩形平板状のカバー本体２６９と、このカバー本体２６９の四隅位置にそれぞれ配置形成されるロック部２７０とを有している。ＦＬ可溶体カバー２４７は、後述する可溶体２７１の状態を外部から視認可能にするため、透明な樹脂材料を用いて形成されている。ロック部２７０は、ブロック部２４６のロック部２６７に引っ掛かり係止されるような形状に形成されている。ＦＬ可溶体カバー２４７は、ブロック部２４６に対し矢印Ｒ方向（図１７参照）に沿って着脱自在となるように形成されている。
【０１５５】
メインヒュージブルリンク２２３は、導電性を有する金属板をプレス加工することにより形成されている。メインヒュージブルリンク２２３は、可溶体２７１と、この可溶体２７１の上下にそれぞれ連続する一方のヒューズ端子２７２及び他方のヒューズ端子２７３とを有している。可溶体２７１には、溶断可能な可溶体本体２７４と、この可溶体本体２７４を一方のヒューズ端子２７２及び他方のヒューズ端子２７３に連結する連結部２７５とが形成されている。各連結部２７５には、メインヒュージブルリンク２２３の挿入突起（図示省略）に差し込まれて保持される円形の保持穴２７６が形成されている。
【０１５６】
一方のヒューズ端子２７２及び他方のヒューズ端子２７３は、ともに同じ形状に形成されている。一方のヒューズ端子２７２及び他方のヒューズ端子２７３は、上下に所定の間隔をあけて相対向するように配置されている。一方のヒューズ端子２７２及び他方のヒューズ端子２７３には、ボルト挿通部２７７が形成されている。ボルト挿通部２７７は、端子先端からＵ字状に切り欠かれるように形成されている。ボルト挿通部２７７は、一括締めボルト２４４のねじ部２５３の径に合わせて形成されている。一方のヒューズ端子２７２及び他方のヒューズ端子２７３は、可溶体２７１の各連結部２７５に対し略直角に折り曲げられるような部分に形成されている。メインヒュージブルリンク２２３は、この全体が略コ字状とな形状に形成されている。メインヒュージブルリンク２２３は、矢印Ｒ方向（図１７参照）に沿って着脱自在なものになっている（着脱方向は、一括締めボルト２４４のボルト軸部２５１に対し直交する方向でもある）。
【０１５７】
上記構成及び構造において、ブロック部２４６の開口部２６０を介して一括締めボルト２４４を装着し、この後にブロック部２４６のヒューズ端子配置部２６２、２６３に対し一方のヒューズ端子２７２、他方のヒューズ端子２７３をそれぞれ配置するようにメインヒュージブルリンク２２３の組み付けを行い、さらに、ＦＬ可溶体カバー２４７にてメインヒュージブルリンク２２３の可溶体２７１を覆うと、ナット２４５のねじ込み前の状態として、図１５のＦＬボルトブロック２０８が形成される。ＦＬボルトブロック２０８は、ボルトブロック２２４に対しメインヒュージブルリンク２２３を一体化させたものになる。
【０１５８】
図１３及び図１７において、カセットブロック２１９の前方から矢印Ｒ方向に沿ってＦＬボルトブロック２０８をＦＬボルトブロック着脱部２３３に差し込んで嵌合させると、この時、カセットブロック２１９のブロックハウジング２２５に組み付けられる二つのバスバーの第一接続相手２４０、第二接続相手２４１は、ＦＬボルトブロック２０８のメインヒュージブルリンク２２３の一方のヒューズ端子２７２、他方のヒューズ端子２７３に対し重なるような状態に配置される。
【０１５９】
ＦＬボルトブロック着脱部２３３に対しＦＬボルトブロック２０８を嵌合させる際に、左右で一対となるガイド部２６５は、ＦＬボルトブロック着脱部２３３のガイド部２３７に案内される。
【０１６０】
ＦＬボルトブロック２０８は、左右で一対となるロックアーム部２６６がＦＬボルトブロック着脱部２３３のロック部２３８に嵌合すると、これによりロック状態が形成される。
【０１６１】
ＦＬボルトブロック２０８は、上記ロック状態が形成されると、一括締めボルト２４４のねじ部２５３がＦＬボルトブロック着脱部２３３のフード部２３９の内側に配置される。
【０１６２】
ＦＬボルトブロック２０８をＦＬボルトブロック着脱部２３３に装着した状態のカセットブロック２１９は、ハウジング２０９（図１２及び図１３参照）に組み付けられる。この組み付けにより、電気接続箱本体２０２（図１２及び図１３参照）が形成される。
【０１６３】
図１２において、電気接続箱本体２０２は、ＦＬボルトブロック２０８に対し端子金具２０７をセットし、この後にナット２４５のねじ込みを行うと、端子金具２０７自身の電気的な接続が完了する。また、これと同時に、メインヒュージブルリンク２２３の一方のヒューズ端子２７２と、バスバーの第一接続相手２４０との電気的な接続も完了する。さらに、これと同時にメインヒュージブルリンク２２３の他方のヒューズ端子２７３と、バスバーの第二接続相手２４１との電気的な接続も完了する。
【０１６４】
ナット２４５のねじ込みに伴い、それまで重なり合った状態の一方のヒューズ端子２７２とバスバーの第一接続相手２４０、及び、他方のヒューズ端子２７３と第二接続相手２４１が確実に面接触した状態になり、これにより電気的な接続が完了する。
【０１６５】
以上から分かるように、端子金具２０７を接続するにあたりナット２４５をねじ込むと、三箇所同時の締結を完了させることができる（ナット２４５のねじ締めを行うことで一括接続をすることができる）。
【０１６６】
尚、端子金具２０７の接続部分に関し、この部分はサイドカバー２０５にて覆われ保護される。サイドカバー２０５を取り外すと、端子金具２０７の接続部分は容易に露出する。以下、サイドカバー２０５について簡単に説明をする。
【０１６７】
サイドカバー２０５は、樹脂成形品であって、電気接続箱本体２０２のハウジング２０９における上記一側部の嵌合部分に対し嵌合する形状、また、端子金具２０７の接続部分を覆うことができる形状に形成されている。サイドカバー２０５には、ロック部２７８、２７９、２８０がそれぞれ複数形成されている。ロック部２７８は、電気接続箱本体２０２のロック部２１３に嵌合する形状に形成されている。また、ロック部２７９は、アッパーカバー２０３のロック部２８１に嵌合する形状に形成されている。また、ロック部２８０は、ロアカバー２０４のロック部２８２に嵌合する形状に形成されている。
【０１６８】
上記構成及び構造において、電気接続箱２０１は、サイドカバー２０５を取り外した後にナット２４５のねじ締め解除を行うと、端子金具２０７の取り外しが可能になる。また、ＦＬボルトブロック着脱部２３３からのＦＬボルトブロック２０８の取り外しも可能になる。
【０１６９】
図１３において、一対のロックアーム部２６６を撓ませてロック状態を解除すると、矢印Ｒ方向にＦＬボルトブロック２０８の取り外しをすることができる（横方向からの取り外しをすることができる）。ＦＬボルトブロック２０８の取り外しは、メインヒュージブルリンク２２３の取り外しも行うことができることになる。
【０１７０】
以上、図１２ないし図１７を参照しながら説明してきたように、本発明に係るＦＬボルトブロック２０８（ヒュージブルリンク一体型ボルトブロック）は、導電性を有する一方及び他方のヒューズ端子２７２、２７３と、これらの間に介在する可溶体２７１とを含むメインヒュージブルリンク２２３（ヒュージブルリンク）を備えている。また、絶縁性を有し且つ略筐体形状に形成されるブロック部２４６と、このブロック部２４６の所定位置に配設される一括締めボルト２４４（ボルト）とを含むボルトブロック２２４を備えている。さらに、ボルトブロック２２４における一括締めボルト２４４の配設位置に一方のヒューズ端子２７２を配置してメインヒュージブルリンク２２３をボルトブロック２２４に一体化させている。
【０１７１】
従って、ＦＬボルトブロック２０８は、上記構成及び構造であることから、ボルトブロック２２４の一括締めボルト２４４を外部との接続部分として用いることができる。このような一括締めボルト２４４に対しメインヒュージブルリンク２２３の一方のヒューズ端子２７２を配置すれば、電気的な接続を従来に比べ格段に集約することができる。また、電気的な接続に係る部品も従来に比べ格段に集約することができる。
【０１７２】
また、本発明に係るＦＬボルトブロック２０８は、メインヒュージブルリンク２２３をボルトブロック２２４に対し着脱自在に一体化させている。
【０１７３】
従って、ＦＬボルトブロック２０８は、メインヒュージブルリンク２２３における可溶体２７１（可溶体本体２７４）が溶断した場合に、メインヒュージブルリンク２２３をボルトブロック２２４から取り外し、新しいものと交換することができる。
【０１７４】
一方、本発明に係る電気接続箱２０１は、上記ＦＬボルトブロック２０８をカセットブロック２１９の側部に着脱自在に装着し、これを含んで電気接続箱本体２０２を構成している。
【０１７５】
従って、電気接続箱２０１は、着脱自在なメインヒュージブルリンク２２３を含むことから、この交換作業に関し、これをし易くすることができる。また、電気接続箱２０１は、電気的な接続に係る部品を電気接続箱本体２０２の側部やカセットブロック２１９の側部に集約できることから、スペース利用面での効率を向上させ、結果、電気接続箱２０１の小型化を図ることができる。
【０１７６】
また、本発明に係る電気接続箱２０１は、メインヒュージブルリンク２２３における可溶体２７１を電気接続箱本体２０２の側部から視認可能な状態に装着している。
【０１７７】
従って、ＦＬボルトブロック２０８の装着状態（電気接続箱本体２０２の側部の装着状態）において、メインヒュージブルリンク２２３における可溶体２７１の溶断有無を容易に確認することができる。
【実施例３】
【０１７８】
以下、図面を参照しながら実施例３を説明する。図１８はＦＬボルトブロックの斜視図である。また、図１９はＦＬボルトブロックの分解斜視図である。尚、上記実施例２と同一の構成部材には同一の符号を付して詳細な説明を省略する。
【０１７９】
図１８及び図１９において、ＦＬボルトブロック３０１は、ボルトブロック３０２と、メインヒュージブルリンク２２３と、受け部材３０３とを備えて構成されている。ＦＬボルトブロック３０１は、ボルトブロック３０２に対しメインヒュージブルリンク２２３を着脱自在に一体化させてなる機能部品となっている。
【０１８０】
ボルトブロック３０２は、絶縁部２４９を有する一括締めボルト２４４と、この一括締めボルト２４４にねじ込まれるナット２４５と、一括締めボルト２４４を装着するブロック部３０４と、メインヒュージブルリンク２２３の可溶部２７１を覆うＦＬ可溶体カバー２４７とを備えて構成されている。
【０１８１】
ブロック部３０４は、上壁２５６と、下壁２５７と、左右の側壁２５８と、前壁２５９と、後壁の位置に形成される開口部２６０とを有して、略筐体形状に形成されている。また、ブロック部３０４は、ボルトガイド部３０５と、ヒューズ端子配置部２６２、２６３とを有している。
【０１８２】
ボルトガイド部３０５は、ブロック部３０４の内部に挿入された、受け部材３０３付きの一括締めボルト２４４を保持・ガイドする部分として形成されている（受け部材３０３に関しては後述する）。ボルトガイド部３０５は、軸部挿入スリット２６４の下方に配置されて左右で一対となるように形成されている。本実施のボルトガイド部３０５は、受け部材３０３の形状に合わせて形成されている。
【０１８３】
受け部材３０３は、メインヒュージブルリンク２２３の相対向する一方のヒューズ端子２７２及び他方のヒューズ端子２７３と、二つのバスバーの第一接続相手２４０及び第二接続相手２４１（図１７参照）との電気的な接続にあたり、受けとして用いることができるような部材に形成されている。受け部材３０３は、ナット２４５のねじ込みに掛かるトルクの管理容易にすることができるような部材に形成されている。
【０１８４】
受け部材３０３は、本実施例において、第一受け部３０６と、第二受け部３０７と、これらを連結する連結胴部３０８と、一括締めボルト２４４の挿通部分となる軸部挿通孔３０９とを有している。第一受け部３０６及び第二受け部３０７は、ともに同じ環状となる形状に形成されている。軸部挿通孔３０９は、一括締めボルト２４４のねじ部２５３の径に合わせて貫通形成されている。
【０１８５】
本実施例において、軸部挿通孔３０９は、金属製の筒部材を加工して形成されている。また、第一受け部３０６及び第二受け部３０７は、樹脂製であって、軸部挿通孔３０９に一体化するように形成されている。軸部挿通孔３０９は、十分な剛性を有するのであれば樹脂製であってもよいものとする。また、第一受け部３０６及び第二受け部３０７は、若干の弾性を有する部材で形成してもよいものとする。
【０１８６】
上記構成及び構造において、ＦＬボルトブロック３０１を用いた場合でも実施例２と同様の効果を奏するのは言うまでもない。
【実施例４】
【０１８７】
以下、図面を参照しながら実施例４を説明する。図２０はカセットブロックアッセンブリの斜視図である。また、図２１はＦＬボルトブロックの斜視図、図２２はＦＬボルトブロックの分解斜視図、図２３はＦＬボルトブロックを装着する状態を示すカセットブロックアッセンブリの斜視図である。尚、上記実施例２、３と同一の構成部材には同一の符号を付して詳細な説明を省略する。
【０１８８】
図２０において、ブロックハウジング２２５のＦＬボルトブロック着脱部２３３に対し矢印Ｒ方向に沿って着脱自在となるＦＬボルトブロック３５１は、ボルトブロック３５２と、メインヒュージブルリンク２２３とを備えて構成されている。ＦＬボルトブロック３５１は、ボルトブロック３５２にメインヒュージブルリンク２２３を着脱自在に一体化させてなる機能部品となっている（着脱方向は実施例２、３と同じであるものとする）。
【０１８９】
図２０ないし図２２において、ボルトブロック３５２は、一対のボルト３５３と、一対のナット２４５と、ブロック部３５４と、ＦＬ可溶体カバー２４７とを備えて構成されている。
【０１９０】
ボルト３５３は、公知のものが用いられている。ボルト３５３は、導電性を有しており、四隅がＲ状となるボルト頭部３５５と、略円柱状となるボルト軸部３５６とを有している。ボルト軸部３５６は、ボルト頭部３５５の中央位置に立設しており、ボルト軸部３５６の先端側には、ナット２４５のねじ込み部分となる、ねじ部３５７が配設されている。
【０１９１】
ブロック部３５４は、略ブロック形状となる樹脂成形品であって、以下の各種部分を有している。すなわち、ヒューズ端子配置部２６２、２６３と、ボルト装着部３５８、３５９と、フード部３６０（ハウジング）と、ガイド部２６５と、ロックアーム部２６６と、ロック部２６７と、凹部２６８と、この凹部２６８に形成される挿入突起（図示省略）及び挿入口（図示省略）とを有している。尚、上記の各種部分において、ボルト装着部３５８、３５９及びフード部３６０以外の部分は実施例２、３と基本的に同じ機能、同じ配置であり、ここでの説明は省略するものとする。
【０１９２】
ボルト装着部３５８は、上側のボルト３５３を装着する部分としてブロック部３５４の上側に配置形成されている。ボルト装着部３５８は、ここに上側のボルト３５３が挿入されると、ボルト頭部３５５を保持することができるように、また、ねじ部３５７を外部に露出させることができるように形成されている。すなわち、ボルト装着部３５８は、ボルト頭部保持部３６１と、軸部挿入スリット２６４とを有するように形成されている。ボルト装着部３５８は、軸部挿入スリット２６４を介してボルト軸部３５６を上側に突出させることができるように形成されている。
【０１９３】
ボルト装着部３５９は、下側のボルト３５３（外部接続用の部分）を装着する部分としてブロック部３５４の中間に配置形成されている。ボルト装着部３５９は、ここに下側のボルト３５３が挿入されると、ボルト頭部３５５を保持することができるように、また、ねじ部３５７をフード部３６０内に突出させることができるように形成されている。すなわち、ボルト装着部３５９は、ボルト装着部３５８と同様に、ボルト頭部保持部３６１と、軸部挿入スリット２６４とを有するように形成されている。ボルト装着部３５９は、軸部挿入スリット２６４を介してボルト軸部３５６を下側に突出させることができるように形成されている。
【０１９４】
フード部３６０は、ボルト装着部３５９よりも下側に配置されている。フード部３６０は、軸部挿入スリット２６４を介して突出するねじ部３５７を囲うことができる形状に形成されている。
【０１９５】
フード部３６０は、この後壁にスリット３６２を有している。スリット３６２は、下側のボルト３５３の装着時にボルト軸部３５６の通過を可能にする部分として形成されている。
【０１９６】
フード部３６０は、この下端が開口するように形成されている。開口は、ナット２４５のねじ込み等をする部分として形成されている。
【０１９７】
尚、フード部３６０（ハウジング）と、これに囲われる下側のボルト３５３（外部接続用の部分）は、実施例１のコネクタ９１（図６参照。タブ８０とコネクタハウジング６０とで構成される）に相当する部分であるものとする。
【０１９８】
実施例４は、フード部３６０を有することから、これに対応する部分をＦＬボルトブロック着脱部２３３に形成するものとする。図２３の引用符号３６３はフード収容部を示している。
【０１９９】
上記構成及び構造において、ブロック部３５４のボルト装着部３５８、３５９にボルト３５３をそれぞれ所定の向きで装着し、この後にブロック部３５４のヒューズ端子配置部２６２、２６３に対し一方のヒューズ端子２７２、他方のヒューズ端子２７３をそれぞれ配置するようにメインヒュージブルリンク２２３の組み付けを行い、さらに、ＦＬ可溶体カバー２４７にてメインヒュージブルリンク２２３の可溶体２７１を覆うと、ナット２４５のねじ込み前の状態として、図２１のＦＬボルトブロック３５１が形成される。ＦＬボルトブロック３５１は、ボルトブロック３５２に対しメインヒュージブルリンク２２３を一体化させたものになる。
【０２００】
図２０及び図２３において、ブロックハウジング２２５の前方から矢印Ｒ方向に沿ってＦＬボルトブロック３５１をＦＬボルトブロック着脱部２３３に差し込んで嵌合させると、この時、ブロックハウジング２２５に組み付けられる二つのバスバーの第一接続相手２４０、第二接続相手２４１は、ＦＬボルトブロック３５１のメインヒュージブルリンク２２３の一方のヒューズ端子２７２、他方のヒューズ端子２７３に対し重なるような状態に配置される。
【０２０１】
下側のボルト３５３に対しナット２４５のねじ込みを行うと、それまで重なり合った状態の他方のヒューズ端子２７３と第二接続相手２４１が確実に面接触した状態になり、電気的な接続が完了する。
【０２０２】
ＦＬボルトブロック３５１の上側のボルト３５３に対し端子金具２０７（図１２参照）をセットし、この後に上側からナット２４５のねじ込みを行うと、端子金具２０７自身の電気的な接続が完了する。また、これと同時に、メインヒュージブルリンク２２３の一方のヒューズ端子２７２と、バスバーの第一接続相手２４０との電気的な接続も完了する。
【０２０３】
以上、図２０ないし図２３を参照しながら説明してきたように、ＦＬボルトブロック３５１を用いた場合でも実施例２と同様の効果を奏するのは言うまでもない。
【０２０４】
この他、本発明は本発明の主旨を変えない範囲で種々変更実施可能なことは勿論である。
【符号の説明】
【０２０５】
１…電気接続箱
２…電気接続箱本体
３…アッパーカバー
４…ロアカバー
５…サイドカバー
６…電線
７…端子金具
８…ＦＬボルトブロック（ヒュージブルリンク一体型ボルトブロック）
９…ハウジング
１０…カセットブロックアッセンブリ
１９…カセットブロック
２３…メインヒュージブルリンク（ヒュージブルリンク）
２４…ボルトブロック
２６、２７…バスバー
４６…第一接続相手
４７…第二接続相手
５１…ＦＬバスバー組立体
５２…ボルト
５３…ナット
５４…ブロック部
５５…ボルト頭部
５６…ボルト軸部
６０…コネクタハウジング（ハウジング）
６１…内部空間
６２…ボルト固定部
７１…タブ挿入スリット
７３…ボルト
７４…ナット
７６…ＦＬ可溶体カバー
７７…可溶体
７８…一方のヒューズ端子
７９…他方のヒューズ端子
８０…タブ（外部接続用の部分）
９１…コネクタ
９２…第一カバー
９３…第二カバー
【図１】
0005792564.tif 000002
【図２】
0005792564.tif 000003
【図３】
0005792564.tif 000004
【図４】
0005792564.tif 000005
【図５】
0005792564.tif 000006
【図６】
0005792564.tif 000007
【図７】
0005792564.tif 000008
【図８】
0005792564.tif 000009
【図９】
0005792564.tif 000010
【図１０】
0005792564.tif 000011
【図１１】
0005792564.tif 000012
【図１２】
0005792564.tif 000013
【図１３】
0005792564.tif 000014
【図１４】
0005792564.tif 000015
【図１５】
0005792564.tif 000016
【図１６】
0005792564.tif 000017
【図１７】
0005792564.tif 000018
【図１８】
0005792564.tif 000019
【図１９】
0005792564.tif 000020
【図２０】
0005792564.tif 000021
【図２１】
0005792564.tif 000022
【図２２】
0005792564.tif 000023
【図２３】
0005792564.tif 000024
【図２４】
0005792564.tif 000025